(57)【要約】【課題】簡易な操作で取付部材を被取付部材に取り付けることができる部材取付構造及び取付クリップを提供する。【解決手段】部材取付構造２０は、取付枠２８が設けられた被取付部材の一例としてのベース部材２４と、取付枠２８へ挿入される挿入部３０を備えた挿入部材の一例としてグロメット３２と、挿入部３０と同じ方向から取付枠２８へ挿入され、挿入部３０の取付枠２８を通過した通過部３３を取付枠２８の外側へ押して取付枠２８へ係合させると共にベース部材２４に重ねられたケース２２のフランジ部２３に当接してフランジ部２３を保持する保持部材の一例としてのピン３４と、を有している。【選択図】図８
2018048718.tif 000002
【特許請求の範囲】
【請求項１】
取付枠が設けられた被取付部材と、
前記取付枠へ挿入される挿入部を備えた挿入部材と、
前記挿入部と同じ方向から前記取付枠へ挿入され、前記挿入部の前記取付枠を通過した部分を前記取付枠の外側へ押して前記取付枠へ係合させると共に、前記被取付部材に重ねられた取付部材に当接して前記取付部材を保持する保持部材と、
を有する部材取付構造。
【請求項２】
前記保持部材は、前記取付枠に挿入された状態では、前記挿入部と反対側の面が前記取付部材と当接している、請求項１に記載の部材取付構造。
【請求項３】
前記挿入部材は、挿入方向に前記挿入部が延設され、前記挿入部を前記取付枠へ挿入した状態で前記取付枠に当接する枠体と、前記枠体に前記挿入部と同じ方向に延設されると共に前記取付部材が前記被取付部材に重なる方向で前記挿入部と対向配置され、前記枠体が前記取付枠に当接した状態で前記取付枠内に位置して前記被取付部材に当接する支持部と、を備え、
前記保持部材は、前記枠体を通して前記挿入部と前記支持部との間に挿入される、請求項２に記載の部材取付構造。
【請求項４】
前記保持部材は、前記取付枠に挿入された状態では、前記挿入部の反発力で前記被取付部材に重ねられた前記取付部材を前記被取付部材へ押し付けて保持する請求項３に記載の部材取付構造。
【請求項５】
前記挿入部は、前記支持部よりも挿入方向に沿った長さが短くされると共に挿入方向の端部側に挿入方向に対し斜めに延びて前記保持部材の挿入経路上に張り出す斜面を備えている、請求項３又は請求項４に記載の部材取付構造。
【請求項６】
前記支持部には、前記保持部材を支持する支持面が形成されている、請求項４又は請求項５に記載の部材取付構造。
【請求項７】
前記支持面又は前記保持部材の前記支持面によって支持される被支持面のいずれか一方には、前記保持部材の挿入方向に沿って延びる凸部が形成され、
前記支持面又は前記被支持面のいずれか他方には、前記保持部材の挿入方向に沿って延び、前記凸部を挿入可能な凹部が形成されている、請求項６に記載の部材取付構造。
【請求項８】
前記支持部の厚みは、前記取付部材の前記被取付部材に重なる部分と同じ厚みとされている、請求項６又は請求項７に記載の部材取付構造。
【請求項９】
前記保持部材の挿入方向と反対側の端部には、板部が設けられており、
前記枠体には、前記枠体を通して前記保持部材を前記挿入部と前記支持部との間に挿入した状態で前記板部が収容される収容部が形成されている、請求項８に記載の部材取付構造。
【請求項１０】
前記挿入部の挿入方向の端部側には、係止部が形成され、
前記保持部材の挿入方向の端部側には、前記収容部に前記板部を収容した状態で前記係止部に係止され、前記保持部材の挿入方向と反対側の移動を制限する被係止部が形成されている、請求項９に記載の部材取付構造。
【請求項１１】
被取付部材に設けられた取付枠へ挿入される挿入部を備えた挿入部材と、
前記挿入部と同じ方向で前記取付枠へ挿入され、前記挿入部の前記取付枠を通過した部分を前記取付枠の外側へ押して前記挿入部を前記取付枠へ係合させると共に、前記被取付部材に重ねられた取付部材に当接して前記取付部材を保持する保持部材と、
を有する取付クリップ。
【請求項１２】
前記挿入部材は、挿入方向に前記挿入部が延設され、前記取付枠に当接する枠体と、前記枠体に前記挿入部と同じ方向に延設されると共に前記挿入部の挿入方向と直交する方向で前記挿入部と対向配置され、前記挿入部を前記取付枠内へ挿入した状態で前記取付枠内に位置して前記被取付部材に当接する支持部と、を備え
前記保持部材は、前記取付枠に挿入された状態では、前記挿入部と反対側の面が前記取付部材と当接しており、
前記支持部には、前記保持部材を支持する支持面が形成され、前記保持部材が前記枠体を通して前記挿入部と前記支持部との間に挿入される、請求項１１に記載の取付クリップ。
【請求項１３】
前記支持面又は前記保持部材の前記支持面によって支持される被支持面のいずれか一方には、前記保持部材の挿入方向に沿って延びる凸部が形成され、
前記支持面又は前記被支持面のいずれか他方には、前記保持部材の挿入方向に沿って延び、前記凸部が挿入される凹部が形成されている、請求項１２に記載の取付クリップ。
【発明の詳細な説明】
【技術分野】
【０００１】
本発明は、部材取付構造及び取付クリップに関する。
【背景技術】
【０００２】
特許文献１には、外装部材を被取付部材の定位置に固定するための取付構造が開示されている。この取付構造では、外装部材の裏面に突設された挿入片が被取付部材に突設された取付枠に遊挿された状態で、その取付枠内に形成される隙間にクリップを圧入している。この構成により、挿入片が取付枠内から抜けるのや挿入片が取付枠内でガタつくのを抑制している。
【先行技術文献】
【特許文献】
【０００３】
【特許文献１】特開２０１１−１７３５０号公報
【発明の概要】
【発明が解決しようとする課題】
【０００４】
特許文献１に開示された取付構造では、外装部材を被取付部材に取付けるためには、挿入片を取付枠に挿入した後で、挿入片の挿入方向と反対方向から取付枠内にクリップを挿入する必要があり、外装部材を被取付部材に取り付ける操作が煩雑化している。
【０００５】
本発明は上記事実を考慮し、簡易な操作で取付部材を被取付部材に取り付けることができる部材取付構造及び取付クリップを提供することを課題とする。
【課題を解決するための手段】
【０００６】
本発明の第１の態様の部材取付構造は、取付枠が設けられた被取付部材と、前記取付枠へ挿入される挿入部を備えた挿入部材と、前記挿入部と同じ方向から前記取付枠へ挿入され、前記挿入部の前記取付枠を通過した部分を前記取付枠の外側へ押して前記取付枠へ係合させると共に、前記被取付部材に重ねられた取付部材に当接して前記取付部材を保持する保持部材と、を有している。
【０００７】
第１の態様の部材取付構造では、被取付部材に取付部材が重ねられた状態で、挿入部材の挿入部を取付枠に挿入し、挿入部と同じ方向から保持部材を取付枠に挿入することで、挿入部の取付枠を通過した部分（以下、適宜「通過部」と記載する。）が保持部材によって取付枠の外側へ押されて取付枠と係合する。一方、保持部材との当接によって被取付部材に重ねられた取付部材が保持される。このように上記部材取付構造では、被取付部材の取付枠に挿入された挿入部材及び保持部材によって取付部材が被取付部材に取り付けられる。
ここで、上記部材取付構造では、取付枠に対して挿入部材の挿入部と保持部材とを同じ方向から挿入するため、例えば、取付枠に対して挿入部と保持部材を異なる方向から挿入する構造と比べて、簡易な操作で取付部材を被取付部材に取り付けることができる。
【０００８】
また、上記部材取付構造では、挿入部の通過部が保持部材によって取付枠の外側へ押されて取付枠と係合するため、挿入部の抜け（挿入部の挿入方向と反対方向の移動）が抑制される。
よって、第１の態様の部材取付構造では、取付部材と被取付部材の取付状態が安定して維持される。
【０００９】
本発明の第２態様の部材取付構造は、第１の態様の部材取付構造において、前記保持部材は、前記取付枠に挿入された状態では、前記挿入部と反対側の面が前記取付部材と当接している。
【００１０】
第２の態様の部材取付構造では、保持部材が取付枠に挿入された状態において、保持部材の挿入部と反対側の面が取付部材に当接している。すなわち、保持部材が取付枠に挿入された状態では、保持部材の挿入部と反対側の面が取付部材に当接して取付部材が被取付部材から離間する方向（重なる方向と反対側）の移動（浮き上がり）が制限される。
【００１１】
本発明の第３態様の部材取付構造は、第２の態様の部材取付構造において、前記挿入部材は、挿入方向に前記挿入部が延設され、前記挿入部を前記取付枠へ挿入した状態で前記取付枠に当接する枠体と、前記枠体に前記挿入部と同じ方向に延設されると共に前記取付部材が前記被取付部材に重なる方向で前記挿入部と対向配置され、前記枠体が前記取付枠に当接した状態で前記取付枠内に位置して前記被取付部材に当接する支持部と、を備え、前記保持部材は、前記枠体を通して前記挿入部と前記支持部との間に挿入される。
【００１２】
第３の態様の部材取付構造では、取付部材が被取付部材に重なる方向で挿入部と支持部が対向配置されており、枠体を通して保持部材が挿入部と支持部との間に挿入される。ここで、挿入部を取付枠へ挿入した状態（枠体が取付枠に当接した状態）では、上記重なる方向で挿入部が取付枠に当接すると共に支持部が取付枠内で被取付部材に当接するため、被取付部材（取付枠）に対する挿入部材のガタつきが抑制される。
【００１３】
本発明の第４態様の部材取付構造は、第３の態様の部材取付構造において、前記保持部材は、前記取付枠に挿入された状態では、前記挿入部の反発力で前記被取付部材に重ねられた前記取付部材を前記被取付部材へ押し付けて保持する。
【００１４】
第４の態様の部材取付構造では、挿入部から反発力を受けた保持部材が取付部材を被取付部材へ押し付けるため、取付部材の被取付部材に押し付けられる方向（取付部材が被取付部材に重なる方向と同じ方向）と反対方向の移動（取付部材の被取付部材からの浮き上がり）が抑制される。
【００１５】
本発明の第５の態様の部材取付構造は、第３の態様又は第４の態様の部材取付構造において、前記挿入部は、前記支持部よりも挿入方向に沿った長さが短くされると共に挿入方向の端部側に挿入方向に対し斜めに延びて前記保持部材の挿入経路上に張り出す斜面を備えている。
【００１６】
第５の態様に記載の部材取付構造では、挿入部の斜面が保持部材の挿入経路上に張り出しているため、保持部材を挿入部と支持部との間に挿入すると、保持部材が斜面に当接し、この斜面によって保持部材の挿入力が挿入部の挿入方向の端部側（挿入部の通過部を含む）を押し上げる力に変換される。このため、保持部材を挿入していくと、斜面が備えられる挿入部の挿入方向の端部側が取付枠の外側へ次第に押され（押し上げられ）、挿入部が取付枠に係合する。ここで、上記部材取付構造では、挿入部に斜面を備えるという簡単な構成で、保持部材の挿入力を挿入部の通過部を取付枠の外側へ押す力へ変換できる。
【００１７】
本発明の第６の態様の部材取付構造は、第４の態様又は第５の態様の部材取付構造において、前記支持部には、前記保持部材を支持する支持面が形成されている。
【００１８】
第６の態様の部材取付構造では、保持部材を挿入部と支持部との間に挿入した状態では、保持部材の挿入方向の端部側が挿入部から反発力を受けると共に保持部材の挿入方向と反対方向の端部側が支持面によって支持される。これにより、挿入部材に対する保持部材のガタつきがさらに抑制される。結果、被取付部材（取付枠）に対する保持部材のガタつきが抑制される。
【００１９】
本発明の第７の態様の部材取付構造は、第６の態様の部材取付構造において、前記支持面又は前記保持部材の前記支持面によって支持される被支持面のいずれか一方には、前記保持部材の挿入方向に沿って延びる凸部が形成され、前記支持面又は前記被支持面のいずれか他方には、前記保持部材の挿入方向に沿って延び、前記凸部を挿入可能な凹部が形成されている。
【００２０】
第７の態様の部材取付構造では、支持部の支持面又は保持部材の被支持面のいずれか一方に凸部が形成され、支持面又は被支持面のいずれか他方には、凸部を挿入可能な凹部が形成されている。このため、凸部を凹部に挿入した状態で挿入部材に対して保持部材を挿入する（押し込む）ことで、凸部及び凹部がガイドとなり、保持部材が挿入部と支持部との間にスムーズに挿入される。
【００２１】
本発明の第８の態様の部材取付構造は、第６の態様又は第７の態様の部材取付構造において、前記支持部の厚みは、前記取付部材の前記被取付部材に重なる部分と同じ厚みとされている。
【００２２】
第８の態様の部材取付構造では、支持部の厚みが取付部材の被取付部材に重なる部分と同じ厚みとされている（すなわち、支持部と上記被取付部材に重なる部分との間に段差がない状態とされている）ことから、保持部材が枠体を通して挿入部と支持部との間にスムーズに挿入される。
【００２３】
本発明の第９の態様の部材取付構造は、第８の態様の部材取付構造において、前記保持部材の挿入方向と反対側の端部には、板部が設けられており、前記枠体には、前記枠体を通して前記保持部材を前記挿入部と前記支持部との間に挿入した状態で前記板部が収容される収容部が形成されている。
【００２４】
第９の態様の部材取付構造では、保持部材を挿入部と支持部との間に挿入した状態で、保持部材に設けられた板部が枠体に設けられた収容部に収容されるため、誤操作によって保持部材を挿入部と支持部との間から引き抜くのが抑制（挿入方向と反対側の移動が抑制）される。
【００２５】
本発明の第１０の態様の部材取付構造は、第９の態様の部材取付構造において、前記挿入部の挿入方向の端部側には、係止部が形成され、前記保持部材の挿入方向の端部側には、前記収容部に前記板部を収容した状態で前記係止部に係止され、前記保持部材の挿入方向と反対側の移動を制限する被係止部が形成されている。
【００２６】
第１０の態様の部材取付構造では、収容部に板部を収容した状態において、挿入部の係止部が保持部材の被係止部に係止して保持部材の挿入方向と反対側の移動が制限される。これにより、誤操作によって保持部材を挿入部と支持部との間から引き抜くのが効果的に抑制される。
【００２７】
本発明の第１１の態様の取付クリップは、被取付部材に設けられた取付枠へ挿入される挿入部を備えた挿入部材と、前記挿入部と同じ方向で前記取付枠へ挿入され、前記挿入部の前記取付枠を通過した部分を前記取付枠の外側へ押して前記挿入部を前記取付枠へ係合させると共に、前記被取付部材に重ねられた取付部材に当接して前記取付部材を保持する保持部材と、を有している。
【００２８】
第１１の態様の取付クリップでは、被取付部材に取付部材が重ねられた状態で、挿入部材の挿入部を取付枠に挿入し、挿入部と同じ方向から保持部材を取付枠に挿入することで、挿入部の通過部が保持部材によって取付枠の外側へ押されて取付枠と係合する。一方、保持部材との当接によって被取付部材に重ねられた取付部材が保持される。このように上記取付クリップでは、被取付部材の取付枠に挿入された挿入部材及び保持部材によって取付部材を被取付部材に取り付けることができる。
ここで、上記取付クリップでは、取付枠に対して挿入部材の挿入部と保持部材とを同じ方向から挿入するため、例えば、取付枠に対して挿入部と保持部材を異なる方向から挿入する構成と比べて、簡易な操作で取付部材を被取付部材に取り付けることができる。
【００２９】
また、上記取付クリップでは、挿入部の通過部が保持部材によって取付枠の外側へ押されて取付枠と係合するため、挿入部の抜け（挿入部の挿入方向と反対方向の移動）が抑制される。
よって、第１１の態様の取付クリップでは、取付部材と被取付部材の取付状態が安定して維持される。
【００３０】
本発明の第１２の態様の取付クリップは、第１１の態様の取付クリップにおいて、前記挿入部材は、挿入方向に前記挿入部が延設され、前記取付枠に当接する枠体と、前記枠体に前記挿入部と同じ方向に延設されると共に前記挿入部の挿入方向と直交する方向で前記挿入部と対向配置され、前記挿入部を前記取付枠内へ挿入した状態で前記取付枠内に位置して前記被取付部材に当接する支持部と、を備え、前記保持部材は、前記取付枠に挿入された状態では、前記挿入部と反対側の面が前記取付部材と当接しており、前記支持部には、前記保持部材を支持する支持面が形成され、前記保持部材が前記枠体を通して前記挿入部と前記支持部との間に挿入される。
【００３１】
第１２の態様の取付クリップでは、取付部材が被取付部材に重なる方向で挿入部と支持部が対向配置されるように挿入部材を取付枠に挿入し、そして、枠体を通して保持部材を挿入部と支持部との間に挿入する。ここで、挿入部を取付枠へ挿入した状態（枠体が取付枠に当接した状態）では、上記重なる方向で挿入部が取付枠に当接すると共に支持部が取付枠内で被取付部材に当接するため、被取付部材（取付枠）に対する挿入部材のガタつきが抑制される。
また、上記取付クリップでは、挿入部の斜面が保持部材の挿入経路上に張り出しているため、保持部材を挿入部と支持部との間に挿入すると、保持部材が斜面に当接し、この斜面によって保持部材の挿入力が斜面を介して挿入部の挿入方向の端部側（挿入部の通過部を含む）を押し上げるに変換される。このため、保持部材を挿入していくと、斜面が備えられる挿入部の挿入方向の端部側が取付枠の外側へ次第に押され（押し上げられ）、挿入部が取付枠に係合する。ここで、上記取付クリップでは、挿入部に斜面を備えるという簡単な構成で、保持部材の挿入力を挿入部の通過部を取付枠の外側へ押す力へ変換できる。
さらに、取付クリップでは、保持部材を挿入部と支持部との間に挿入した状態では、保持部材の挿入方向の端部側が取付部材に当接すると共に保持部材の挿入方向と反対方向の端部側が支持面によって支持される。これにより、挿入部材に対する保持部材のガタつきがさらに抑制される。結果、被取付部材（取付枠）に対する保持部材のガタつきが抑制される。
【００３２】
本発明の第１３の態様の取付クリップは、第１２の態様の取付クリップにおいて、前記支持面又は前記保持部材の前記支持面によって支持される被支持面のいずれか一方には、前記保持部材の挿入方向に沿って延びる凸部が形成され、前記支持面又は前記被支持面のいずれか他方には、前記保持部材の挿入方向に沿って延び、前記凸部が挿入される凹部が形成されている。
【００３３】
第１３の態様の取付クリップでは、支持部の支持面又は保持部材の被支持面のいずれか一方に凸部が形成されている。このため、凸部を凹部に挿入した状態で挿入部材に対して保持部材を挿入する（押し込む）ことで、凸部及び凹部がガイドとなり、保持部材が挿入部と支持部との間にスムーズに挿入される。
【発明の効果】
【００３４】
本発明によれば、簡易な操作で取付部材を被取付部材に取り付けることができる部材取付構造及び取付クリップを提供することができる。
【図面の簡単な説明】
【００３５】
【図１】実施形態に係る部材取付構造の斜視図である。
【図２】実施形態に係る部材取付構造において、取付枠に取付クリップを装着していな状態を示す要部拡大斜視図である。
【図３】実施形態に係る部材取付構造において、取付枠に取付クリップのグロメットを取り付けた状態を示す要部拡大斜視図である。
【図４】実施形態に係る部材取付構造において、グロメットにピンを挿入して取付部材を被取付部材に取り付けた状態を示す要部拡大斜視図である。
【図５】実施形態に係る取付クリップの分解斜視図である。
【図６】実施形態に係る取付クリップの斜視図である。
【図７】実施形態に係る取付クリップを用いて取付部材を被取付部材に取り付けた状態を示す要部拡大側面図である。
【図８】図７に示される取付クリップを挿入方向に沿って切断した拡大断面図である。
【図９】図８に示されるピンを挿入方向に沿って切断した拡大断面図である。
【図１０】図９に示されるピンの１０−１０線端面図である。
【図１１】図９に示されるピンを矢印１１方向から見た正面図である。
【図１２】図８に示されるグロメットを挿入方向に沿って切断した拡大断面図である。
【図１３】図１２に示されるグロメットを矢印１３方向から見た正面図である。
【発明を実施するための形態】
【００３６】
次に、本発明の一実施形態に係る部材取付構造及び取付クリップを図１〜図１３を用いて説明する。
【００３７】
図１に示されるように、本実施形態の部材取付構造２０は、取付部材の一例としてのケース２２が取り付けられる被取付部材の一例としてのベース部材２４と、ケース２２をベース部材２４に取り付けるための取付クリップ２６と、を有している。
【００３８】
ケース２２は、一方の面が開放された箱形状とされ、内部に複数の物品が収容されるように構成されている。ケース２２に収容される物品としては、例えば、電池セルが挙げられる。
【００３９】
ケース２２の長手方向両側の開口縁部には、フランジ部２３がそれぞれ形成されている。フランジ部２３には、位置決め用の貫通孔２３Ａが形成されている。この貫通孔２３Ａには、ベース部材２４の表面２４Ａに形成された位置決め用突起２５が挿入されるようになっており、貫通孔２３Ａに位置決め用突起２５を挿入することで、ベース部材２４に対するフランジ部２３の位置が決定される。また、フランジ部２３は、後述する取付枠２８に装着された取付クリップ２６によって、ベース部材２４の表面２４Ａに重ねられた状態が保持されるようになっている。すなわち、取付クリップ２６によって、ケース２２がベース部材２４に取り付けられた状態が維持されるようになっている。
【００４０】
ベース部材２４は、肉厚の板状とされ、表面２４Ａにケース２２のフランジ部２３が重ねられるようになっている。また、表面２４Ａには、フランジ部２３の貫通孔２３Ａに対応した位置に上記位置決め用突起２５が形成されている。なお、本実施形態では、ベース部材２４の上にケース２２が開口を下に向けて取り付けられるようになっている。なお、本実施形態では、ベース部材２４の上方を矢印ＵＰで示し、ベース部材２４の長手方向を矢印Ｌで示し、ベース部材２４の幅方向を矢印Ｗで示している。
【００４１】
ベース部材２４の長手方向Ｌの両端部２４Ｂ側には、幅方向Ｗに間隔をあけて取付枠２８がそれぞれ設けられている。具体的には、ベース部材２４の表面２４Ａには、取付枠２８が４つ設けられており、それぞれの取付枠２８の開口がベース部材の長手方向Ｌを向いている。なお、本実施形態では、ケース２２のフランジ部２３をベース部材２４に重ねた状態で、取付枠２８に取付クリップ２６を装着することで、ベース部材２４にフランジ部２３が重ねられた状態が保持されるようになっている。
【００４２】
図２に示されるように、取付枠２８は、表面２４Ａに立設された一対の支柱部２８Ａと、支柱部２８Ａの先端部をつなぐ梁部２８Ｂとを備えている。
【００４３】
図３及び図７に示されるように、取付クリップ２６は、取付枠２８へ挿入される挿入部３０を備えた挿入部材の一例としてのグロメット３２と、挿入部３０と同じ方向から取付枠２８へ挿入される保持部材の一例としてのピン３４と、を有している。なお、本実施形態では、挿入部３０の取付枠２８への挿入方向を矢印Ａで示す。また、ピン３４の挿入方向は、挿入部３０の挿入方向Ａと同じ方向のため、挿入部３０の挿入方向と同じ矢印Ａで示す。
【００４４】
図７及び図８に示されるように、グロメット３２は、樹脂材料で形成されており、挿入部３０を取付枠２８へ挿入した状態で取付枠２８に当接する枠体３６を備えている。この枠体３６には、グロメット３２の挿入方向Ａに延びる上記挿入部３０が設けられている。
【００４５】
また、枠体３６には、挿入部３０と同じ方向（挿入方向Ａ）に延びる支持部３８が設けられている。この支持部３８は、挿入方向Ａと直交する方向（本実施形態では、ケース２２がベース部材２４に重なる方向Ｐ）で、枠体３６の開口部３６Ａを挟んで挿入部３０と反対側に設けられている。言い換えると、挿入部３０と支持部３８は、上記重なる方向Ｐで、枠体３６の開口部３６Ａを挟んで対向する位置にそれぞれ設けられている。また、支持部３８の挿入方向Ａに沿った長さＬ１は、挿入部３０の挿入方向Ａに沿った長さＬ２よりも短くされており、枠体３６が取付枠２８に当接した状態で取付枠２８内に位置してベース部材２４に当接するようになっている。具体的には、支持部３８の挿入部３０と反対側に位置する当接面３８Ａ（本実施形態では、支持部３８の下面）が表面２４Ａに当接するようになっている。なお、本実施形態の重なる方向Ｐは、ベース部材２４の下方と同じ方向である。
【００４６】
支持部３８の上記重なる方向Ｐと反対方向における挿入部３０側には、ピン３４の挿入方向Ａと反対方向の端部３４Ｂ側を支持する支持面３８Ｂ（本実施形態では、支持部３８の上面）が形成されている。この支持部３８の厚みＴ１は、フランジ部２３と略同じ厚みＴ２とされている。なお、ここでいう「略同じ厚み」には、厚みＴ１が厚みＴ２の±１０％の範囲内のものを含んでいる。
【００４７】
図５、図１１及び図１２に示されるように支持面３８Ｂには、挿入方向Ａに沿って延びる凸部４０が形成されている。この凸部４０は、枠体３６の開口部３６Ａから支持部３８の挿入方向Ａ側の端部まで形成されている。また凸部４０は、後述するピン３４の凹部４８に挿入されるように構成されている。
【００４８】
図８及び図１２に示されるように、挿入部３０の挿入方向Ａの端部３０Ａ側に挿入方向Ａに対し斜めに延びてピン３４の挿入経路ＡＬ（挿入部３０と支持部３８との間を通り挿入方向Ａに沿った経路）上に張り出す斜面３１を備えている。この斜面３１は、挿入経路ＡＬ上を通るピン３４と当接して、ピン３４の挿入力Ｆ１（図８参照）を挿入部３０の端部３０Ａ側を押し上げる力Ｆ２（図８参照）に変換するように構成されている。なお、本実施形態では、挿入部３０は、枠体３６から挿入方向Ａに沿って延びて途中で挿入経路ＡＬに向けて曲がって挿入方向Ａに対し斜め方向に延びる形状とされており、挿入方向Ａに対し斜めに延びる部分の下面（挿入経路ＡＬ側の面）が斜面３１とされている。
【００４９】
図８及び図１２に示されるように、挿入部３０の斜面３１よりも挿入方向Ａの端部３０Ａ側には、係止部４２が形成されている。この係止部４２は、後述するピン３４の被係止部５０に係止して、ピン３４の挿入方向Ａと反対側の移動を制限するようになっている。なお、本実施形態の係止部４２は、挿入方向と直交する方向の段差面によって構成されている。
【００５０】
図８及び図１３に示されるように、枠体３６には、枠体３６の開口部３６Ａを通してピン３４を挿入部３０と支持部３８との間に挿入した状態で後述するピン３４の板部４６が収容される収容部４４が形成されている。この収容部４４は、枠体３６の縁部に沿って形成された突条部によって形成されている。この突条部は、枠体３６から挿入方向Ａと反対側へ突出したものであり、枠体３６の上部を除いて形成されている。言い換えると、収容部４４は、挿入方向Ａから見て、上方が開放された枠状（一例としてＣ字状）に形成されている。また、収容部４４の高さは、ピン３４の板部４６の厚み以上とすることが、誤操作によるピン３４の引き抜きを抑制する観点から好ましい。
【００５１】
図５、図７及び図９に示されるように、ピン３４は、長板状とされ、樹脂材料で形成されている。このピン３４は、図７及び図８に示されるように、枠体３６の開口部３６Ａを通して挿入部３０と支持部３８との間に挿入されるようになっている。また、ピン３４は、挿入部３０と支持部３８との間に挿入された状態（以下、適宜「ピン挿入状態」と記載する。）では、挿入部３０の取付枠２８を通過した部分（本実施形態では、斜面３１を含む部分）を取付枠２８の外側へ押して取付枠２８へ係合させると共に、挿入部３０の反発力でベース部材２４に重ねられたフランジ部２３をベース部材２４へ押し付けて保持するように構成されている。具体的には、ピン３４は、開口部３６Ａを通して挿入部３０と支持部３８との間に挿入されると、挿入方向Ａ側の端部３０Ａが斜面３１に当接する。さらにピン３４を挿入する（押し込む）と、挿入部３０の挿入力Ｆ１が斜面３１によって挿入部３０の端部３０Ａ側を押し上げる力Ｆ２に変換される。これにより、挿入部３０の端部３０Ａ側が押し上げられ（取付枠２８の外側へ押され）て、ピン３４の上面に乗り上げる。挿入部３０の端部３０Ａ側がピン３４によって押し上げられると、挿入部３０の一部が梁部２８Ｂに押し付けられて曲がる。この挿入部３０の梁部２８Ｂで曲がった部分の曲げ内側が梁部２８Ｂと係合する。この係合により、取付枠２８に対する挿入部３０の引き抜き方向（挿入方向Ａと反対方向）の移動が制限される。一方、挿入部３０の端部３０Ａ側を押し上げると、ピン３４には、挿入部３０の反発力Ｆ３（図８参照）が作用する。ピン３４が受ける反発力Ｆ３は、フランジ部２３をベース部材２４へ押し付ける力となり、フランジ部２３がベース部材２４に押し付けられて保持される。
【００５２】
図５、図８及び図９に示されるように、ピン３４の挿入方向Ａと反対側の端部３４Ｂには、板部４６が設けられている。この板部４６は、挿入方向Ａと直交する方向に張り出しており、ピン３４を枠体３６の開口部３６Ａを通して挿入部３０と支持部３８との間に挿入した状態で収容部４４に収容されるように構成されている。
【００５３】
図７〜図９に示されるように、ピン３４の支持面３８Ｂによって支持される被支持面３４Ｃ（図７〜図１０では下面）には、挿入方向Ａに沿って延びる凹部４８が形成されている。この凹部４８は、板部４６からピン３４の挿入方向Ａ側の端部３４Ａまで延びる溝部であり、支持部３８の凸部４０が挿入可能とされている（図１０参照）。
【００５４】
図８及び図９に示されるように、ピン３４の挿入方向Ａの端部３４Ａ側には、収容部４４に板部４６を収容した状態で上記係止部４２に係止される被係止部５０が形成されている。この被係止部５０は、挿入部３０の係止部４２に係止されると、ピン３４の挿入方向Ａと反対側の移動が制限されるようになっている。なお、本実施形態の被係止部５０は、挿入方向と直交する方向の段差面であり、ピン挿入状態（図６及び図８の状態）で係止部４２である段差面と挿入方向Ａで対向配置されるように構成されている。
【００５５】
次に本実施形態の部材取付構造２０及び取付クリップ２６の作用及び効果について説明する。
【００５６】
本実施形態では、ベース部材２４にケース２２のフランジ部２３が重ねられた状態で、グロメット３２の挿入部３０を取付枠２８に挿入する。そして、挿入部３０と同じ方向からピン３４を枠体３６の開口部３６Ａを通して挿入部３０と支持部３８との間に挿入する（言い換えると、ピン３４を取付枠２８に挿入する）と、挿入部３０の斜面３１がピン３４の挿入経路ＡＬ上に張り出しているため、ピン３４が斜面３１に当接する。この斜面３１によってピン３４の挿入力Ｆ１が挿入部３０の端部３０Ａ側（挿入部３０の取付枠２８を通過した部分（以下、適宜「通過部３３」と記載する。）を含む）を押し上げる力Ｆ２に変換される。このため、ピン３４を挿入していくと、斜面３１が形成された挿入部３０の端部３０Ａ側が取付枠２８の外側へ次第に押されて（押し上げられて）取付枠２８の梁部２８Ｂと係合する。一方、挿入部３０から反発力Ｆ３を受けたピン３４によってケース２２（フランジ部２３）がベース部材２４へ押し付けられて保持される。このように部材取付構造２０では、ベース部材２４の取付枠２８に挿入されたグロメット３２の挿入部３０及びピン３４によってケース２２がベース部材２４に取り付けられる（図４及び図８参照）。
ここで、本実施形態では、取付枠２８に対してグロメット３２の挿入部３０とピン３４とを同じ方向から挿入するため、例えば、取付枠２８に対して挿入部３０とピン３４を異なる方向から挿入する構造と比べて、簡易な操作でケース２２をベース部材２４に取り付けることができる。
【００５７】
また、本実施形態では、挿入部３０の通過部３３がピン３４によって取付枠２８の外側へ押されて取付枠２８の梁部２８Ｂと係合するため、挿入部３０の抜け（挿入部３０の挿入方向と反対方向の移動）が抑制される。一方、挿入部３０から反発力Ｆ３を受けたピン３４によってケース２２のフランジ部２３がベース部材２４へ押し付けられる。このため、ケース２２のベース部材２４に押し付けられる方向（フランジ部２３がベース部材２４に重なる方向と同じ方向）と反対方向の移動（フランジ部２３のベース部材２４の表面２４Ａからの浮き上がり）が抑制される。
よって、本実施形態では、ケース２２とベース部材２４の取付状態が安定して維持される。
【００５８】
本実施形態では、上記重なる方向Ｐで挿入部３０と支持部３８が対向配置されており、枠体３６を通してピン３４が挿入部３０と支持部３８との間に挿入される。ここで、挿入部３０を取付枠２８へ挿入した状態（枠体３６が取付枠２８に当接した状態）では、上記重なる方向Ｐで挿入部３０が取付枠２８に当接すると共に支持部３８が取付枠２８内でベース部材２４の表面２４Ａに当接するため、ベース部材２４（取付枠２８）に対するグロメット３２のガタつきが抑制される。
【００５９】
また、本実施形態のピン挿入状態では、ピン３４の端部３４Ａ側（通過部３３含む）が挿入部３０から反発力Ｆ３を受けてケース２２のフランジ部２３をベース部材２４に押し付ける。一方、ピン挿入状態では、ピン３４の端部３４Ｂ側が支持面３８Ｂによって支持される。これにより、グロメット３２に対するピン３４のガタつきがさらに抑制される。結果、ベース部材２４（取付枠２８）に対するピン３４のガタつきが抑制される。
【００６０】
さらに、本実施形態では、挿入部３０にピン３４の挿入経路ＡＬ上に張り出す斜面３１を形成するという簡単な構成で、ピン３４の挿入力Ｆ１を挿入部３０の端部３０Ａ側（通過部３３含む）を取付枠２８の外側へ押し上げる力Ｆ２へ変換できる。
【００６１】
また、本実施形態では、支持部３８の支持面３８Ｂに凸部４０が形成され、ピン３４の被支持面３４Ｃに凸部４０を挿入可能な凹部４８が形成されている。このため、凸部４０を凹部４８に挿入した状態でグロメット３２に対してピン３４を挿入する（押し込む）ことで、凸部４０及び凹部４８がガイドとなり、ピン３４が挿入部３０と支持部３８との間にスムーズに挿入される。
【００６２】
本実施形態では、支持部３８の厚みＴ１がケース２２のフランジ部２３の厚みＴ２と同じ厚みとされている。すなわち、支持部３８とフランジ部２３との間に段差がない状態とされていることから、ピン３４が枠体３６を通して挿入部３０と支持部３８との間にスムーズに挿入される。
【００６３】
本実施形態のピン挿入状態では、ピン３４に設けられた板部４６が枠体３６に設けられた収容部４４に収容されるため、誤操作によってピン３４を挿入部３０と支持部３８との間から引き抜くのが抑制（挿入方向Ａと反対側の移動が抑制）される。
【００６４】
また、本実施形態では、グロメット３２の収容部４４にピン３４の板部４６を収容した状態において、挿入部３０の係止部４２がピン３４の被係止部５０に係止してピン３４の挿入方向Ａと反対側の移動が制限される。これにより、誤操作によってピン３４を挿入部３０と支持部３８との間から引き抜くのが効果的に抑制される。
【００６５】
前述の実施形態では、支持部３８の支持面３８Ｂに凸部４０を形成し、ピン３４の被支持面３４Ｃに凹部４８を形成する構成としているが、本発明はこの構成に限定されない。例えば、支持部３８の支持面３８Ｂに挿入方向Ａに沿って延びる凹部（溝部）を形成し、ピン３４の被支持面３４Ｃに挿入方向Ａに沿って延びて上記凹部に挿入される凸部を形成してもよい。また、支持部３８の支持面３８Ｂ又はピン３４の被支持面３４Ｃに形成される凸部は、挿入方向に間隔をあけて設けられる円柱部などでもよい。
【００６６】
前述の実施形態では、挿入部３０の反発力Ｆ３を利用してピン３４をフランジ部２３に押し付ける構成としているが、本発明はこの構成に限定されない。例えば、挿入部３０の反発力Ｆ３を利用せずに、ピン３４がフランジ部２３に当接する構成としてもよい。このように、挿入部３０の反発力Ｆ３を利用しなくても、ピン３４がフランジ部２３に当接すれば、フランジ部２３のベース部材２４からの浮き上がりを抑制することができる。
【００６７】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００６８】
２０    部材取付構造
２２    ケース(取付部材)
２３    フランジ部（取付部材の被取付部材と重なる部分）
２４    ベース部材（被取付部材）
２４Ａ  表面
２６    取付クリップ
２８    取付枠
３０    挿入部
３０Ａ  挿入方向側の端部
３１    斜面
３２    グロメット（挿入部材）
３３    通過部（挿入部の取付枠を通過する部分）
３４    ピン（保持部材）
３４Ａ  挿入方向側の端部
３４Ｂ  挿入方向と反対側の端部
３４Ｃ  被支持面
３６    枠体
３６Ａ  開口部
３８    支持部
３８Ｂ  支持面
４０    凸部
４２    係止部
４４    収容部
４６    板部
４８    凹部
５０    被係止部
Ａ      挿入方向
ＡＬ    挿入経路
Ｆ３    反発力
Ｐ      重なる方向
【図１】
2018048718.tif 000003
【図２】
2018048718.tif 000004
【図３】
2018048718.tif 000005
【図４】
2018048718.tif 000006
【図５】
2018048718.tif 000007
【図６】
2018048718.tif 000008
【図７】
2018048718.tif 000009
【図８】
2018048718.tif 000010
【図９】
2018048718.tif 000011
【図１０】
2018048718.tif 000012
【図１１】
2018048718.tif 000013
【図１２】
2018048718.tif 000014
【図１３】
2018048718.tif 000015